(57)【要約】【課題】フレキシブル回路基板を再利用することができるとともに、フレキシブル回路基板がユニットから浮き上がることがない表示装置を提供する。【解決手段】液晶表示パネル１０と、液晶表示パネルの背面側に配置されるバックライトユニット１２と、バックライトユニットの背面側に配置され、液晶表示パネルの端子部に接続されるフレキシブル回路基板１４とを具備する液晶表示装置において、バックライトユニットの背面の幅方向両端側に、内側面に溝４０を有する基板取付部４２を形成する。そして、上記基板取付部の溝にフレキシブル回路基板の幅方向両端部を挿入する。【選択図】図１
2007293103.tif 000002
【特許請求の範囲】
【請求項１】
表示パネルと、前記表示パネルの背面側に配置されるユニットと、前記ユニットの背面側に配置され、前記表示パネルの端子部に接続されるフレキシブル回路基板とを具備する表示装置において、前記ユニットの背面の幅方向両端側に、内側面に溝を有する基板取付部が形成されているとともに、前記基板取付部の溝に前記フレキシブル回路基板の幅方向両端部が挿入されて挟持されていることを特徴とする表示装置。
【請求項２】
前記基板取付部の溝の内面の前記ユニットの背面と対向する部分に凸部が形成され、前記フレキシブル回路基板が前記凸部と前記ユニットの背面とで挟持されていることを特徴とする請求項１に記載の表示装置。
【請求項３】
前記基板取付部の溝の終端部に溝幅が徐々にフレキシブル回路基板の厚みよりも狭くなる幅狭部を設け、前記幅狭部において、前記フレキシブル回路基板が前記基板取付部の溝の内面のユニットの背面と対向する部分と前記ユニットの背面とで挟持されていることを特徴とする請求項１に記載の表示装置。
【発明の詳細な説明】
【技術分野】
【０００１】
本発明は、表示パネル、ユニットおよびフレキシブル回路基板を備えた表示装置に関し、さらに詳述すると、ユニットの背面側に表示パネルの端子部に接続されるフレキシブル回路基板が配置された表示装置に関する。
【背景技術】
【０００２】
従来、表示装置として、例えば図３に示すように、半透過型あるいは透過型の液晶表示パネル１０と、液晶表示パネル１０の背面側に配置されたバックライトユニット１２と、バックライトユニト１２の背面側に配置されたフレキシブル回路基板１４とを具備するものが知られている（例えば、特許文献１参照）。
【０００３】
液晶表示パネル１０は、一対の透明電極基板１６、１８が対向配置され、これら透明電極基板１６、１８の対向面の周縁部にシール材（図示せず）が配設され、このシール材で囲まれた内側に液晶（図示せず）が封入されている。一方の透明電極基板１６には、他方の透明電極基板１８よりも側方に張り出した張出部２０が連設されており、この張出部２０には電極端子部２２が形成され、電極端子部２２には液晶駆動用のＬＳＩチップ２４が実装されている。
【０００４】
バックライトユニット１２は、液晶表示パネル１０と対向する面が開口されたフレーム２６と、フレーム２６内に収納された導光板２８と、導光板２８の光入射面３０と対向する位置に配置されたＬＥＤ等からなる発光素子３２とを有している。また、導光板２８の光出射面３４には、拡散シートや輝度上昇フィルム（共に図示せず）等の光学フィルムが配設されている。
【０００５】
フレキシブル回路基板１４は、図示しないが、ポリイミド等の可撓性を有する絶縁性樹脂からなるフィルム基板の一方の面に、所定のパターンに形成された銅箔等からなる導体が形成されており、この導体の両端部を除く表面には絶縁性樹脂からなるカバーフィルムが被覆されている。また、フレキシブル回路基板１４の両端部において露出した導体上には電極端子部が形成され、一方の端子部３６は液晶表示パネル１０の電極端子部２２に接続されているとともに、他方の端子部（図示せず）は制御回路基板（図示せず）に接続されている。フレキシブル回路基板１４とバックライトユニット１２のフレーム２６とは、両面粘着テープ３８により接着されている。
【０００６】
【特許文献１】特開２００４−１７７８７６号公報
【発明の開示】
【発明が解決しようとする課題】
【０００７】
しかし、前述した液晶表示装置では、フレキシブル回路基板とバックライトユニットとが両面粘着テープにより接着されているので、バックライトユニットからフレキシブル回路基板を剥離できなかったり、剥離できた場合でもフレキシブル回路基板に粘着剤が付着したりしていて、フレキシブル回路基板を再利用することができなかった。また、両面粘着テープの粘着力の劣化や接着作業のバラツキなどに起因して、両面粘着テープからフレキシブル回路基板が剥がれ、フレキシブル回路基板がバックライトユニットから浮き上がることがあった。
【０００８】
本発明は、前述した事情に鑑みてなされたもので、表示パネル、ユニットおよびフレキシブル回路基板を備えた表示装置であって、フレキシブル回路基板を再利用することができるとともに、フレキシブル回路基板がユニットから浮き上がることがない表示装置を提供することを目的とする。
【課題を解決するための手段】
【０００９】
本発明は、前述の目的を達成するため、表示パネルと、前記表示パネルの背面側に配置されるユニットと、前記ユニットの背面側に配置され、前記表示パネルの端子部に接続されるフレキシブル回路基板とを具備する表示装置において、前記ユニットの背面の幅方向両端側に、内側面に溝を有する基板取付部が形成されているとともに、前記基板取付部の溝に前記フレキシブル回路基板の幅方向両端部が挿入されて挟持されていることを特徴とする表示装置を提供する。
【００１０】
本発明においては、基板取付部の溝にフレキシブル回路基板の幅方向両端部を挿入することにより、フレキシブル回路基板をユニットに取り付けているので、溝からフレキシブル回路基板を抜き取ることにより、フレキシブル回路基板を損傷のない状態で回収することができ、したがってフレキシブル回路基板を再利用することができる。また、本発明においては、フレキシブル回路基板の両端部が基板取付部の溝内に保持されるため、フレキシブル回路基板がユニットから浮き上がることがない。
【００１１】
本発明においては、基板取付部の溝の内面のユニットの背面と対向する部分に凸部を形成し、フレキシブル回路基板を上記凸部とユニットの背面とで挟持する構成とすることができる。また、本発明においては、基板取付部の溝の終端部に溝幅が徐々にフレキシブル回路基板の厚みよりも狭くなる幅狭部を設け、上記幅狭部において、フレキシブル回路基板を基板取付部の溝の内面のユニットの背面と対向する部分とユニットの背面とで挟持する構成とすることができる。上述した各構成によれば、フレキシブル回路基板が基板取付部の溝内で動いたり浮き上がったりすることを防止することができる。
【発明の効果】
【００１２】
本発明の表示装置は、フレキシブル回路基板を再利用することができるとともに、フレキシブル回路基板がユニットから浮き上がることがない。また、本発明の表示装置は、基板取付部の溝にフレキシブル回路基板を滑り込ませるだけでフレキシブル回路基板をユニットに取り付けることができるため、フレキシブル回路基板のユニットへの取付作業が簡単である。さらに、本発明の表示装置は、ユニットとフレキシブル回路基板とを接着する両面粘着テープの費用が不要となるため、製造コストの削減を図ることができる。
【発明を実施するための最良の形態】
【００１３】
以下、本発明の実施の形態を図面を参照して説明するが、本発明は下記例に限定されるものではない。図１は本発明に係る表示装置の一実施形態を示す液晶表示装置に関するもので、（Ａ）は模式的平面図、（Ｂ）は（Ａ）図Ｂ−Ｂ線に沿った模式的断面図である。なお、図１では液晶表示パネルは図示を省略してある。
【００１４】
図１において、１２は液晶表示パネルの背面側に配置された平面視四角形のバックライトユニット、１４はバックライトユニット１２の背面側に配置され、液晶表示パネルの端子部に接続されたフレキシブル回路基板を示す。バックライトユニット１２およびフレキシブル回路基板１４は、図３に示したのと同様のものである。
【００１５】
上記バックライトユニット１２のフレーム２６の背面の幅方向両端側には、内側面に溝４０を有する一対の互いに平行な基板取付部４２、４２がそれぞれ形成されている。上記基板取付部４２は、フレーム２６の背面の幅方向両端から上方に垂直に延びる垂直板部４４と、上記垂直板部４２の上端から内方に水平に延びる水平板部４６とからなるもので、フレーム２６と基板取付部４２とはプラスチックにより一体に成形されている。そして、これら基板取付部４２、４２の溝４０、４０に、フレキシブル回路基板１４の幅方向両端部が挿入されている。
【００１６】
また、基板取付部４２の内面のバックライトユニット１２の背面と対向する部分、すなわち水平板部４６の内面には、所定間隔をおいて複数（本例では３つ）の半球形の凸部４８が形成され、フレキシブル回路基板１４が上記凸部４８とバックライトユニット１２の背面とで挟持されており、これによりフレキシブル回路基板１４が溝４０内で動いたり浮き上がったりすることが防止されている。なお、各基板取付部４２に形成する凸部４８の数に限定はなく、単数であってもよく、複数であってもよい。
【００１７】
本例の液晶表示装置を作製する場合、フレキシブル回路基板１４の一方の端子部を液晶表示パネルの電極端子部に接続するとともに、フレキシブル回路基板１４をバックライトユニット１２の背面側に折り曲げ、基板取付部４２の水平板部４６とバックライトユニット１２の背面との間にフレキシブル回路基板１４を滑り込ますことにより、溝４０、４０にフレキシブル回路基板１４の幅方向両端部を挿入して挟持するものである。
【００１８】
なお、図示していないが、フレキシブル回路基板１４の表面の両基板取付部４２、４２間に存在する部分には、電子部材が適宜搭載される。
【００１９】
本発明の表示装置は、上述した例に限定されるものではない。例えば、図１に示した基板取付部４２において、凸部４８を設ける代わりに、図２に示すように、水平板部４６の終端部において水平板部４６の厚さを徐々に厚くすることにより、溝４０の終端部に溝幅が徐々にフレキシブル回路基板１４の厚みよりも狭くなる幅狭部５０を設け、この幅狭部５０においてフレキシブル回路基板１４を水平板部４６とバックライトユニット１２の背面とで挟持することにより、フレキシブル回路基板１４が溝４０内で動いたり浮き上がったりすることを防止してもよい。また、溝４０の溝幅全体を、フレキシブル回路基板１４を水平板部４６全体とバックライトユニット１２の背面とで挟持できるような溝幅としてもよい。さらに、フレキシブル回路基板を再利用することが可能な程度の粘着力および大きさの両面粘着テープを選択し、この両面粘着テープによってバックライトユニットとフレキシブル回路基板とを接着してもよい。
【００２０】
また、上述の説明では、本発明を液晶表示装置に適用した場合について説明したが、本発明はこれに限られるものではない。例えば、本発明は有機ＥＬ表示装置などの他の表示装置に適用することも可能である。
【図面の簡単な説明】
【００２１】
【図１】本発明に係る表示装置の一実施形態を示すもので、（Ａ）は模式的平面図、（Ｂ）は（Ａ）図Ｂ−Ｂ線に沿った模式的断面図である。
【図２】基板取付部の溝部の一例を示す図である。
【図３】従来の液晶表示装置の一例を示す一部省略概略図である。
【符号の説明】
【００２２】
１０  液晶表示パネル
１２  バックライトユニット
１４  フレキシブル回路基板
４０  溝
４２  基板取付部
４４  垂直板部
４６  水平板部
４８  凸部
５０  幅狭部
【図１】
2007293103.tif 000003
【図２】
2007293103.tif 000004
【図３】
2007293103.tif 000005